(57)【要約】【解決手段】折り畳みコンテナーが折り畳まれた際には、最初に、底部１方向に倒される一方の相対する側壁３に次いで、後から、底部方向に倒されるもう一方の相対する側壁２のうち、先に倒されるもう一方の相対する側壁に形成された係合枠部材２ｂが、底部の土手部１ｂに載置されるように構成されているとともに、前記後から、底部方向に倒されるもう一方の相対する側壁のうち、後から倒されるもう一方の相対する側壁の係合枠部材が、先に倒されるもう一方の相対する側壁の下部角部に形成された嵌合切り欠き部５に嵌合されるように構成したものである。【効果】後から倒される側壁に形成された係合枠部材の厚さを、従来の折り畳みコンテナーのように、底部の土手部に形成された凹部に限定されることなく、底部の土手部の幅と略同じ厚さとすることができ、従って、後から倒される側壁に形成された係合枠部材の強度を向上させることができる。【選択図】図８
2008280056.tif 000002
【特許請求の範囲】
【請求項１】
底部と、底部の一方の相対する土手部にヒンジ連結された一方の相対する側壁と、底部のもう一方の相対する土手部にヒンジ連結されたもう一方の相対する側壁とを有するとともに、箱型に組み立てられた状態から、先ず最初に、一方の相対する側壁を、底部に重なるように倒し、次いで、もう一方の相対する側壁を、該側壁が、互いに重なるように倒すことにより、折り畳み可能な折り畳みコンテナーにおいて、折り畳みコンテナーが折り畳まれた際には、最初に、底部方向に倒される一方の相対する側壁に次いで、後から、底部方向に倒されるもう一方の相対する側壁のうち、先に倒されるもう一方の相対する側壁に形成された係合枠部材が、底部の土手部に載置されるように構成されているとともに、前記後から、底部方向に倒されるもう一方の相対する側壁のうち、後から倒されるもう一方の相対する側壁の係合枠部材が、先に倒されるもう一方の相対する側壁の下部角部に形成された嵌合切り欠き部に嵌合されるように構成されていることを特徴とする折り畳みコンテナー。
【発明の詳細な説明】
【技術分野】
【０００１】
本発明は、底部を囲むように配設された側壁が、底部に重なるように折り畳むことが可能な折り畳みコンテナーに関するものである。
【背景技術】
【０００２】
従来，平面形状が略長方形に形成された底部の相対する長辺側土手部に、ヒンジ部を介して連結された長側壁と、同じく底部の上記長辺側土手部より高さの高い相対する短辺側土手部に、ヒンジ部を介して連結された短側壁とからなり、底部に対して略垂直に長側壁と短側壁を立てることにより、箱型に組み立てられ、また、折り畳む際には、先ず最初に、相対する長側壁を、底部に重なるように倒し、その後、相対する短側壁を、底部に重ねられた長側壁の上に重ねるようにして折り畳むようにした折り畳みコンテナーが知られている。
【０００３】
箱型に組み立てられた状態においては、短側壁の壁面に対して略垂直に形成された係合枠と長側壁の壁面に沿って形成された係合枠とが当接するように構成されているとともに、短側壁に形成された弾性舌片の突出部が、長側壁の内壁面に当接することにより、箱型に組み立てられた状態において、長側壁が、底部方向に倒れないように構成されている。
【０００４】
また、折り畳まれた状態においては、短側壁の壁面に対して略垂直に形成された係合枠が、底部の長辺側土手部に形成された凹部に挿入されるように構成されている。
【０００５】
上述したような折り畳みコンテナーは、一例として、下記の特許文献１に開示されている。
【０００６】
【特許文献１】特開２００１−２８７７３７号公報
【０００７】
なお、上述した短側壁の壁面に対して略垂直に形成された係合枠は、箱型に組み立てられた折り畳みコンテナーを折り畳む際に、後から底部方向に倒される側壁に形成されており、また、長側壁の壁面に沿って形成された係合枠は、箱型に組み立てられた折り畳みコンテナーを折り畳む際に、最初に底部方向に倒される側壁に形成されている。従って、後から底部方向に倒される側壁が、長側壁の場合には、側壁の壁面に対して略垂直に形成された係合枠は、長側壁に形成され、また、側壁の壁面に沿って形成された係合枠は、最初に底部方向に倒される短側壁に形成されることになる。
【発明の開示】
【発明が解決しようとする課題】
【０００８】
上述した従来の折り畳みコンテナーにおいては、後から底部方向に倒される側壁に形成されている側壁の壁面に対して略垂直な係合枠を、後から底部方向に倒される側壁が、底部に重なるように倒された際に、底部に収容するために、底部の土手部には、特許文献１に開示されているように、外側側方及び上方が開放された凹部や上方のみが開放された凹部が形成されているが、底部の土手部に形成されている凹部の幅（底部の土手部の長手方向と直交する方向の長さ）を広くすることができないので、後から底部方向に倒される側壁に形成されている側壁の壁面に対して略垂直な係合枠の肉厚を厚くするには限界があり、従って、後から底部方向に倒される側壁に形成されている側壁の壁面に対して略垂直な係合枠の強度を高めることができず、前記係合枠が損傷するという問題があった。
【０００９】
本発明の目的は、上述した従来の折り畳みコンテナーが有する課題を解決することにある。
【課題を解決するための手段】
【００１０】
本発明は、上述した目的を達成するために、底部と、底部の一方の相対する土手部にヒンジ連結された一方の相対する側壁と、底部のもう一方の相対する土手部にヒンジ連結されたもう一方の相対する側壁とを有するとともに、箱型に組み立てられた状態から、先ず最初に、一方の相対する側壁を、底部に重なるように倒し、次いで、もう一方の相対する側壁を、該側壁が、互いに重なるように倒すことにより、折り畳み可能な折り畳みコンテナーにおいて、折り畳みコンテナーが折り畳まれた際には、最初に、底部方向に倒される一方の相対する側壁に次いで、後から、底部方向に倒されるもう一方の相対する側壁のうち、先に倒されるもう一方の相対する側壁に形成された係合枠部材が、底部の土手部に載置されるように構成されているとともに、前記後から、底部方向に倒されるもう一方の相対する側壁のうち、後から倒されるもう一方の相対する側壁の係合枠部材が、先に倒されるもう一方の相対する側壁の下部角部に形成された嵌合切り欠き部に嵌合されるように構成したものである。
【発明の効果】
【００１１】
上述したように、折り畳みコンテナーが折り畳まれた際には、最初に、底部方向に倒される一方の相対する側壁に次いで、後から、底部方向に倒されるもう一方の相対する側壁のうち、先に倒されるもう一方の相対する側壁に形成された係合枠部材が、底部の土手部に載置されるように構成されているとともに、前記後から、底部方向に倒されるもう一方の相対する側壁のうち、後から倒されるもう一方の相対する側壁の係合枠部材が、先に倒されるもう一方の相対する側壁の下部角部に形成された嵌合切り欠き部に嵌合されるように構成したので、後から倒される側壁に形成された係合枠部材の厚さを、従来の折り畳みコンテナーのように、底部の土手部に形成された凹部に限定されることなく、底部の土手部の幅と略同じ厚さとすることができ、従って、後から倒される側壁に形成された係合枠部材の強度を向上させることができる。
【発明を実施するための最良の形態】
【００１２】
以下に、本発明の実施例について説明するが、本発明の趣旨を越えない限り何ら、本実施例に限定されるものでない。
【００１３】
図１及び図２に示されているように、本発明の折り畳みコンテナーは、平面形状が略長方形状の底部１と、底部１の長辺側土手部１ａにヒンジ連結された長側壁２と、底部１の短辺側土手部１ｂにヒンジ連結された短側壁３とから構成されており、長側壁２がヒンジ連結された底部１の長辺側土手部１ａの高さは、短側壁３がヒンジ連結された底部１の短辺側土手部１ｂの高さより、高く構成されている。
【００１４】
図１に示されているように、箱型に組み立てられた状態の折り畳みコンテナーを折り畳むには、先ず最初に、底部１の相対する短辺側土手部１ｂにヒンジ連結された短側壁３を、折り畳みコンテナーの内側に倒して、底部１の上に重ねる。次いで、底部１の相対する長辺側土手部１ａにヒンジ連結された長側壁２を、同じく、折り畳みコンテナーの内側に倒して、長側壁２同士が、互いに重なるように、且つ、短側壁３の上に重ねて折り畳むことにより、図３に示されているように、折り畳みコンテナーを、高さの低いコンパクトな状態に折り畳むことができるように構成されている。逆に、図３に示されている折り畳まれた状態から、図１に示されているように箱型に組み立てるには、短側壁３の上に重ねられた状態の長側壁２を略垂直に立て、次いで、短側壁３を略垂直に立てて、折り畳みコンテナーを箱型に組み立てる。
【００１５】
次に、図３及び図４を用いて、長側壁２について説明する。
【００１６】
長側壁２の板状部２ａの左右端の上端部には、板状部２ａの内面（折り畳みコンテナーを箱型に組み立てた際に、折り畳みコンテナーの内側に位置する面）２ａ１に対して略垂直な上部係合枠部材２ｂが形成されている。上部係合枠部材２ｂは、板状部２ａの内面２ａ１に対して略垂直な縦長の板状部２ｂ１を有しており、板状部２ｂ１の内面（折り畳みコンテナーを箱型に組み立てた際に、折り畳みコンテナーの内側に位置する面）２ｂ１’の上下端部には、Ｕ字状の補強枠部２ｂ２が形成されており、補強枠部２ｂ２の自由端部２ｂ２’は、板状部２ａの内面２ａ１に連接されている。また、Ｕ字状の補強枠部２ｂ２及び板状部２ａとにより囲まれた部分には、上部係合枠部材２ｂを構成する板状部２ｂ１を貫通する嵌合孔２ｂ３が形成されている。なお、２ａ２は、板状部２ａの内面２ａ１の左右端に沿って形成された肉厚段部であり、後述する短側壁３の垂直端面が当接するように構成されている。勿論、このような肉厚段部２ａ２は、適宜、省略することができる。
【００１７】
２ｃは、長側壁２の板状部２ａの左右端の中央部付近に形成された、上述した上部係合枠部材２ｂと同様の下部係合枠部材であり、下部係合枠部材２ｃも、上部係合枠部材２ｂの板状部２ｂ１と同様の板状部２ｃ１と上部係合枠部材２ｂのＵ字状の補強枠部２ｂ２と同様のＵ字状の補強枠部２ｃ２とを有しており、下部係合枠部材２ｃにも、上部係合枠部材２ｂの嵌合孔２ｂ３と同様の嵌合孔２ｃ３が形成されている。なお、下部係合枠部材２ｃは、箱型に組み立てられた折り畳みコンテナーの高さが低い場合には、適宜、省略することができるし、また、箱型に組み立てられた折り畳みコンテナーの高さが高い場合には、適宜、下部係合枠部材２ｃを、複数個、形成することもできる。
【００１８】
図３及び図４に示されているように、板状部２ｃ１とＵ字状の補強枠部２ｃ２とかなる下部係合枠部材２ｃの厚さＷ１は、板状部２ｂ１とＵ字状の補強枠部２ｂ２とかなる上部係合枠部材２ｂの厚さＷ２より、薄く形成されているとともに、下部係合枠部材２ｃは、長側壁２の板状部２ａの垂直端２ａ１’より、長側壁２の中央部寄りに引っ込んで形成されており、従って、長側壁２の板状部２ａの垂直端２ａ１’と下部係合枠部材２ｃの板状部２ｃ１との間には、段部２ｃ’が形成されている。
【００１９】
４は、長側壁２に配設された上部係合枠部材２ｂ付近の板状部２ａに形成された弾性舌片であり、弾性舌片４は、板状部２ａに、コの字状のスリット４ａを形成することにより形成され、弾性舌片４の自由端部が、上部係合枠部材２ｂ側に位置するように構成されている。弾性舌片４の先端部には、長側壁２の板状部２ａの内面２ａ１を越えて内側に突出した突出部４ｂが形成されている。
【００２０】
次に、図５及び図６を用いて、短側壁３について説明する。
【００２１】
短側壁３には、短側壁３の板状部３ａの左右端を外側に延在することにより、短側壁３の板状部３ａに沿って上部係合枠部材３ｂが形成されており、上部係合枠部材３ｂの帯状の板状部３ｂ１の外面（折り畳みコンテナーを箱型に組み立てた際に、折り畳みコンテナーの外側に位置する面）３ｂ１’には、上述した長側壁２の上部係合枠部材２ｂに形成された嵌合孔２ｂ３に嵌合する嵌合突起３ｂ２が突設されている。
【００２２】
３ｃは、短側壁３の板状部３ａの左右端の中央部付近を外側に延在することにより、短側壁３の板状部３ａに沿って形成された上述した上部係合枠部材３ｂと同様の下部係合枠部材である。下部係合枠部材３ｃの帯状の板状部３ｃ１の外面（折り畳みコンテナーを箱型に組み立てた際に、折り畳みコンテナーの外側に位置する面）３ｃ１’にも、上述した長側壁２に形成された下部係合枠部材２ｃに形成された嵌合孔２ｂ３に嵌合する嵌合突起３ｃ２が突設されている。なお、下部係合枠部材３ｃは、箱型に組み立てられた折り畳みコンテナーの高さが低い場合には、適宜、省略することができるし、また、箱型に組み立てられた折り畳みコンテナーの高さが高い場合には、適宜、下部係合枠部材３ｃを、複数個、形成することもできる。
【００２３】
３ｄは、嵌合突起３ｂ２間に位置する上部係合枠部材３ｂを構成する板状部３ｂ１の外面３ｂ１’を、外側に膨出させることにより形成された当接部であり、折り畳みコンテナーが箱型に組み立てられた状態において、当接部３ｄの内面（折り畳みコンテナーを箱型に組み立てた際に、折り畳みコンテナーの内側に位置する面）３ｄ１に、上述した長側壁２に形成された弾性舌片４の突出部４ｂが当接し、或いは、接近して位置することにより、長側壁２に次いで、後から立てられた短側壁３が、箱型に組み立てられた状態から、簡単には、底部１方向に倒れないように構成されている。
【００２４】
上部係合枠部材３ｂと下部係合枠部材３ｃとの間には、嵌合部材３ｅが形成されている。嵌合部材３ｅは、上部係合枠部材３ｂの帯状の板状部３ｂ１と下部係合枠部材３ｃの帯状の板状部３ｃ１とを連結する帯状の板状部３ｅ１を有しており、板状部３ｅ１の外面（折り畳みコンテナーを箱型に組み立てた際に、折り畳みコンテナーの外側に位置する面）３ｅ１’には、相対する垂直板３ｅ２と該相対する垂直板３ｅ２の上下端を連結する水平板３ｅ３とから形成された嵌合箱部３ｅ’が形成されている。
【００２５】
折り畳みコンテナーが箱型に組み立てられた際には、図１や図７に示されているように、長側壁２に形成された上部係合枠部材２ｂが、短側壁３に形成された上部係合枠部材３ｂに当接し、或いは、接近して位置するとともに、長側壁２に形成された上部係合枠部材２ｂのＵ字状の補強枠部２ｂ２と板状部２ａとにより囲まれた部分に形成された嵌合孔２ｂ３に、短側壁３に形成された上部係合枠部材３ｂの嵌合突起３ｂ２が嵌合するように構成されている。また、折り畳みコンテナーが箱型に組み立てられた際には、長側壁２に形成された下部係合枠部材２ｃが、短側壁３に形成された下部係合枠部材３ｃに当接し、或いは、接近して位置するとともに、長側壁２に形成された下部係合枠部材２ｃのＵ字状の補強枠部２ｃ２と板状部２ａとにより囲まれた部分に形成された嵌合孔２ｃ３に、短側壁３に形成された下部係合枠部材３ｃの嵌合突起３ｃ１が嵌合するように構成されている。更に、上述したように、折り畳みコンテナーが箱型に組み立てられた状態において、短側壁３に形成された当接部３ｄの内面３ｄ１に、上述した長側壁２に形成された弾性舌片４の突出部４ｂが当接し、或いは、接近して位置することにより、長側壁２に次いで、後から立てられた短側壁３が、箱型に組み立てられた状態から、簡単には、底部１方向に倒れないように構成されている。
【００２６】
また、折り畳みコンテナーが箱型に組み立てられた際には、図１や図７に示されているように、長側壁２に形成された上部係合枠部材２ｂと下部係合枠部材２ｃとの間に位置する凹部２ｄに、短側壁３の上部係合枠部材３ｂと下部係合枠部材３ｃとの間に形成された嵌合部材３ｅの嵌合箱部３ｅ’が嵌合されるように構成されている。
【００２７】
また、図４に示されているように、長側壁２に形成された下部係合枠部材２ｃの下端２ｃ４と長側壁２の板状部２ａとにより形成される下部角部には、嵌合切り欠き部５が形成されており、嵌合切り欠き部５を構成する下部係合枠部材２ｃの下端２ｃ４と長側壁２の下端２ｄと間の距離Ｄ１は、長側壁２に形成された上部係合枠部材２ｂの縦長の板状部２ｂ１の長さ方向に沿った距離Ｄ２と同じか、該距離Ｄ２より長く形成されている。
【００２８】
折り畳みコンテナーが、折り畳まれた際には、図２や図８に示されているように、箱型に組み立てられた状態から、底部１方向に、最初に倒される短側壁３に次いで、底部１方向に倒される相対する長側壁２のうち、先に倒される長側壁２の上部係合枠部材２ｂ及び下部係合枠部材２ｃは、底部１の短辺側土手部１ｂの上端水平フランジ１ｂ１に載置され、また、底部１方向に倒される相対する長側壁２のうち、後から倒される長側壁２の上部係合枠部材２ｂは、先に倒された長側壁２の下部係合枠部材２ｃの下端２ｃ４と長側壁２の板状部２ａとにより形成される下部角部に形成された嵌合切り欠き部５に嵌合されるように構成されている。
【００２９】
上述したように、折り畳みコンテナーが、折り畳まれた際には、短側壁３に次いで、底部１方向に倒される相対する長側壁２のうち、先に倒される長側壁２の上部係合枠部材２ｂ及び下部係合枠部材２ｃが、底部１の短辺側土手部１ｂの上端水平フランジ１ｂ１に載置され、また、底部１方向に倒される相対する長側壁２のうち、後から倒される長側壁２の上部係合枠部材２ｂが、先に倒された長側壁２の下部係合枠部材２ｃの下端２ｃ４と長側壁２の板状部２ａとにより形成される下部角部に形成された嵌合切り欠き部５に嵌合されるように構成されているので、長側壁２の上部係合枠部材２ｂの厚さＷ２を、従来の折り畳みコンテナーのように、底部１の短辺側土手部１ｂに形成された凹部に限定されることなく、底部１の短辺側土手部１ｂの幅（短辺側土手部１ｂの長手方向に直交する方向の長さ）と略同じ厚さとすることができるので、長側壁２の上部係合枠部材２ｂの強度を向上させることができる。
【００３０】
折り畳みコンテナーが箱型に組み立てられた際には、折り畳みコンテナーに上方から加わる負荷は、先ず最初に、長側壁２の上面に加わることになるが、長側壁２の上面に加わる負荷が、上部係合枠部材２ｂに加わった場合には、上部係合枠部材２ｂは、長側壁２の板状部２ａの内面２ａ１に対して略垂直に突出しているので、上部係合枠部材２ｂが損傷することになるが、上述したように、長側壁２の上部係合枠部材２ｂの厚さＷ２を厚くすることにより、長側壁２の上部係合枠部材２ｂの損傷を防止することができる。
【００３１】
また、長側壁２の上部係合枠部材２ｂに、側方から負荷が加わった際にも、上部係合枠部材２ｂには、板状部２ｂ１の内面２ｂ１’の上下端部に形成されているとともに、その自由端部２ｂ２’が、板状部２ａの内面２ａ１に連接されているＵ字状の補強枠部２ｂ２が形成されているので、上部係合枠部材２ｂの強度が向上し、上部係合枠部材２ｂが損傷するようなことを防止することができる。
【００３２】
更に、上述した長側壁２に形成された下部係合枠部材２ｃの下端２ｃ４と長側壁２の板状部２ａとにより形成される下部角部に嵌合切り欠き部５が形成されている場合には、図９に示されているように、箱型に組み立てられた際に、長側壁２の下端部水平フランジ２ｅの端部に立設された端部垂直フランジ２ｆと板状部２ａとにより形成される垂直角部２ｇと、相対する短側壁３の端部垂直フランジ３ｆと板状部３ａとにより形成される垂直角部３ｇとの間に、間隙Ｇ１が形成されることになるが、このような間隙Ｇ１が形成されていると、折り畳みコンテナーに収容された物品が、この間隙Ｇ１からこぼれ落ちる場合がある。
【００３３】
図１０に示されているように、長側壁２の垂直角部２ｇに、上述した間隙Ｇ１を閉鎖する間隙閉鎖部材６を形成することにより、このような課題を解決することができる。
【図面の簡単な説明】
【００３４】
【図１】図１は、本発明の折り畳みコンテナーが箱型に組み立てられた状態の斜視図である。
【図２】図２は、本発明の折り畳みコンテナーが折り畳まれた状態の斜視図である。
【図３】図３は、本発明の折り畳みコンテナーの一方の長側壁が立てられた状態の斜視図である。
【図４】図４は、本発明の折り畳みコンテナーの長側壁の部分拡大斜視図である。
【図５】図５は、本発明の折り畳みコンテナーの短側壁の部分拡大斜視図である。
【図６】図６は、同じく、本発明の折り畳みコンテナーの短側壁の部分拡大斜視図である。
【図７】図７は、本発明の折り畳みコンテナーが箱型に組み立てられた状態における部分拡大斜視図である。
【図８】図８は、本発明の折り畳みコンテナーが折り畳まれた状態における部分拡大斜視図である。
【図９】図９は、本発明の折り畳みコンテナーが箱型に組み立てられた状態における部分拡大斜視図である。
【図１０】図１０は、本発明の折り畳みコンテナーが箱型に組み立てられた状態における別の実施例の部分拡大斜視図である。
【符号の説明】
【００３５】
１・・・・・・・・・・・・・・底部
１ａ・・・・・・・・・・・・・長辺側土手部
１ｂ・・・・・・・・・・・・・短辺側土手部
２・・・・・・・・・・・・・・長側壁
２ｂ・・・・・・・・・・・・・上部係合枠部材
３・・・・・・・・・・・・・・短側壁
３ｂ・・・・・・・・・・・・・上部係合枠部材
４・・・・・・・・・・・・・・弾性舌片
５・・・・・・・・・・・・・・嵌合切り欠き部５
【図１】
2008280056.tif 000003
【図２】
2008280056.tif 000004
【図３】
2008280056.tif 000005
【図４】
2008280056.tif 000006
【図５】
2008280056.tif 000007
【図６】
2008280056.tif 000008
【図７】
2008280056.tif 000009
【図８】
2008280056.tif 000010
【図９】
2008280056.tif 000011
【図１０】
2008280056.tif 000012